(57)【特許請求の範囲】
【請求項１】
被検眼の検査又は測定を行う検眼部と、
固定基台と、
該検眼部を載置する移動台であって、検者が操作部材を操作することにより固定基台上で水平方向に移動する移動台と、
検眼部に配置され、被検眼の前眼部を撮影する撮影光学系を持ち、被検眼と検眼部との相対位置を検出するアライメント検出手段と、
モータの駆動によって移動台に対して検眼部を上下方向に移動させる上下駆動機構と，モータの駆動によって移動台に対して検眼部を水平方向に移動させる水平駆動機構であって左右方向における移動可能範囲が所定の瞳孔間距離より広く確保された水平駆動機構と，を有し、被検眼に対して検眼部を電動にて移動させる駆動手段と、
アライメント検出手段の検出結果に基づいて前記駆動手段の駆動を制御し、被検者の左右眼に対して前記検眼部を順次アライメントする制御手段と、
を備える眼科装置であって、
駆動手段の駆動によって被検者の左右眼に対して順次測定するフルオートモードに対応する所定位置に前記移動台が配置されているか否かを検知するための位置検知手段を備え、
制御手段は、前記移動台が所定位置に配置されたことが前記位置検知手段により検知された場合、所定のトリガ信号に基づいて、前記駆動手段の駆動を開始し、被検者の左右眼に対して前記検眼部を順次アライメントすることを特徴とする眼科装置。
【請求項２】
請求項１の眼科装置において、
前記固定基台に対して前記移動台を固定するために配置された固定手段と、
該固定手段によって前記移動台が固定されたことを検知するための固定検知手段と、を備え、制御手段は、前記移動台が所定位置に固定されたことが前記位置検知手段及び前記固定検知手段により検知され、かつ、前記フルオートモードに設定された場合、所定のトリガ信号に基づいて、前記駆動手段の駆動を開始し、被検者の左右眼に対して検眼部を順次アライメントすることを特徴とする眼科装置。
【発明の詳細な説明】
【技術分野】
【０００１】
本発明は、被検眼の検査、測定等を行う眼科装置に関する。
【背景技術】
【０００２】
被検眼に対して検眼部をアライメントし、検眼部に内蔵された検査・測定系により被検眼の検眼を行う眼科装置としては、検者によるジョイスティックへの手動操作を介して検眼部が載置された移動台を固定基台に対してメカニカルに水平移動させるアライメント機構を有するものが知られている。また、このような移動台に対して前後左右上下方向にそれぞれ検眼部を移動可能な駆動機構を設けることにより、ジョイスティック操作による粗アライメント後の被検眼に対する精密なアライメントを自動化させたものが知られている（特許文献１参照）。このような構成の場合、駆動機構による移動可能範囲は、例えば、基準位置から前後方向に各５ｍｍ程度、左右方向に各５ｍｍ程度（上下は１６ｍｍ程度）であった。
【０００３】
また近年、ラフなアライメントを含めたアライメントの全自動化を目的として、被検眼に対して検眼部を移動させる駆動機構の移動可能範囲が被検眼の瞳孔間距離以上とされ、被検者の両眼を片眼ずつ順次自動的にアライメントを行うような装置が知られている（特許文献２参照）。
【先行技術文献】
【特許文献】
【０００４】
【特許文献１】特開平８−９８８０８号公報
【特許文献２】特開平１０−２１６０８９号公報
【発明の概要】
【発明が解決しようとする課題】
【０００５】
しかしながら、上記のようなラフなアライメントを含めたアライメントの全自動化を行おうとする場合においても、必ずしも全ての被検者に対して自動的に測定を行えるわけではない。例えば、固視微動の激しい被検眼の場合、被検眼の動きに駆動機構による検眼部の移動が追尾できない場合がある。このような場合に備えて、上記従来装置においては、自動アライメントが困難な被検眼に備えて、検者によって操作される電動の操作部材（例えば、電動ジョイスティック、トラックボール等）が設けられ、操作部材に対する操作方向及び操作量に応じて駆動機構が駆動制御されることにより被検眼に対する手動アライメントが可能な構成となっている。しかし、電動の操作部材を用いた手動アライメントは、操作性が悪く、アライメント作業に手間を要する可能性がある。
【０００６】
本発明は、上記問題点を鑑み、被検眼に対するアライメントを全自動及び手動の両方にて好適に行うことのできる眼科装置を提供することを技術課題とする。
【課題を解決するための手段】
【０００７】
上記課題を解決するために、本発明は以下のような構成を備えることを特徴とする。
【０００８】
（１）  
被検眼の検査又は測定を行う検眼部と、
固定基台と、
該検眼部を載置する移動台であって、検者が操作部材を操作することにより固定基台上で水平方向に移動する移動台と、
検眼部に配置され、被検眼の前眼部を撮影する撮影光学系を持ち、被検眼と検眼部との相対位置を検出するアライメント検出手段と、
モータの駆動によって移動台に対して検眼部を上下方向に移動させる上下駆動機構と，モータの駆動によって移動台に対して検眼部を水平方向に移動させる水平駆動機構であって左右方向における移動可能範囲が所定の瞳孔間距離より広く確保された水平駆動機構と，を有し、被検眼に対して検眼部を電動にて移動させる駆動手段と、
アライメント検出手段の検出結果に基づいて前記駆動手段の駆動を制御し、被検者の左右眼に対して前記検眼部を順次アライメントする制御手段と、
を備える眼科装置であって、
駆動手段の駆動によって被検者の左右眼に対して順次測定するフルオートモードに対応する所定位置に前記移動台が配置されているか否かを検知するための位置検知手段を備え、
制御手段は、前記移動台が所定位置に配置されたことが前記位置検知手段により検知された場合、所定のトリガ信号に基づいて、前記駆動手段の駆動を開始し、被検者の左右眼に対して前記検眼部を順次アライメントすることを特徴とする。
（２）  （１）の眼科装置において、
前記固定基台に対して前記移動台を固定するために配置された固定手段と、
該固定手段によって前記移動台が固定されたことを検知するための固定検知手段と、を備え、制御手段は、前記移動台が所定位置に固定されたことが前記位置検知手段及び前記固定検知手段により検知され、かつ、前記フルオートモードに設定された場合、所定のトリガ信号に基づいて、前記駆動手段の駆動を開始し、被検者の左右眼に対して検眼部を順次アライメントすることを特徴とする。
【発明の効果】
【０００９】
本発明によれば、被検眼に対するアライメントを全自動及び手動の両方にて好適に行うことができる。
【発明を実施するための形態】
【００１０】
以下、本発明の実施形態を図面に基づいて説明する。図１は、本実施形態に係る眼科装置の外観概略図を示している。
【００１１】
眼科装置１００の基台１には、被検者の顔を固定する顔支持ユニット１０が固定されている。顔支持ユニット１０には、被検者の額を当接する額当て１１と、被検者の顎を受ける顎受け１２が設けられている。顎受け１２は、後述する顎受け移動機構３０により上下（Ｙ）方向に移動される。１４は額当て１１を形成する支柱部分に設けられたアイレベルマーカであり、顎受け１２の上下動によって被検眼の高さ（アイレベル）を調整する際の目安となる。この場合、被検眼とアイレベルマーカ１４がほぼ同じ高さになるようにアイレベルが調整されると、顔支持ユニット１０の額当て１１と顎受け１２によって被検者の顔がしっかりと固定された状態となるように装置が設計されている。
【００１２】
移動台３は、図示無き摺動機構によって固定基台１上を水平（ＸＺ）方向に移動（摺動）可能に配置されている。検眼部５は移動台３の上に載置され検眼光学系等が収納されている。ここで、摺動機構は、移動台３に設けられたジョイスティック４に対する手動操作を介して固定基台１に対して移動台３を移動させるための手動移動機構として用いられる。
【００１３】
この場合、摺動機構は、移動台３の左右（Ｘ）方向への移動により被験者の両眼に対して順次アライメントできるように移動台３の左右方向における移動可能範囲が被験者の瞳孔間距離より広く確保されている。具体的には、移動台３の左右移動可能範囲として、瞳孔間距離の大きい被検眼に合わせて、左右中央位置から左右それぞれに４５ｍｍ程度で、左右全体として９０ｍｍ程度に設定するようなことが考えられる。
【００１４】
また、移動台３の前後（Ｚ）方向における移動可能範囲は、被験者の位置にかかわらず検眼部５の前後（作動距離）方向のアライメントが可能であって、かつ、左右眼の間で測定眼を切換えるときに被験者の鼻等に検眼部５が接触するのを回避するべく、被検眼に対するアライメントに使用される移動領域に対してさらに後方への移動範囲が確保されている。具体的には、４０ｍｍ程度の前後移動可能範囲とすることが考えられる。
【００１５】
なお、手動移動機構として用いられる摺動機構としては、基台１に対して移動台３を左右にスライドさせるための左右スライド機構と、基台１に対して移動台３を前後にスライドさせるための前後スライド機構と、を有し、基台１に対して移動台３を水平移動可能な周知の摺動機構を用いることができる。
【００１６】
また、検眼部５には、検眼部５の筐体内を被検者が覗くための検査窓５ａが設けられ、筐体内に配置された検眼光学系からの光束が検査窓５ａを介して被検眼に投光される。５０ａは、被検眼とその周辺を同時に撮影するための第２撮影光学系５０の撮影窓である。第２撮影光学系５０は、被検眼と装置とが所定の位置関係に置かれた状態にて、少なくとも被検眼とその近傍に位置するアイレベルマーカ１４とが同時に撮影できる程度の撮影領域を有している。
【００１７】
Ｙ駆動部６は検眼部５を上下（Ｙ）方向に移動させ、ＸＺ駆動部７は検眼部５を左右（Ｘ）及び前後（Ｚ）方向に移動させ、これらは移動台３の内部に搭載されている。ここで、Ｙ駆動部６及びＸＺ駆動部７が駆動されると、移動台３に対して検眼部５がＸＹＺ方向に移動され、結果的に、被検眼に対して検眼部５は三次元方向に移動可能となる。なお、Ｙ駆動部６及びＸＺ駆動部７としては、例えば、検眼部５を移動させるスライド機構をモータの駆動により作動させるような構成が考えられる。
【００１８】
ジョイスティック４は移動台３上に設けられ、被検眼に対して検眼部５を所定位置に合わせるために検者によって手動操作される。ジョイスティック４が前後左右に操作されると、前述の摺動機構によって基台１に対して移動台３がＸＺ方向（水平方向）に移動され、結果的に被検眼に対して検眼部５がＸＺ方向に移動される。また、ジョイスティック４の回転ノブ４ａが回転操作されると、Ｙ駆動部６が駆動され、検眼部５がＹ方向（垂直方向）に移動される。また、ジョイスティック４の頂部に設けられた測定開始スイッチ４ｂが押されると、検眼光学系による測定や撮影等を開始するためのトリガ信号が発せられる。また、移動台３の検者側には、モニタ８、及び測定条件等の各種設定を行うためのコントロール部９ａが設けられている。また、基台１の検者側側面には、検者操作によって顎受け１２を上下させるための顎受けスイッチ９ｂ（ＵＰ／ＤＯＷＮスイッチ）が設けられている。ここで、顎受けスイッチ９ｂが押されると、顎受け移動機構３０が操作方向に対応して駆動され、顎受け１２の高さが調整される。
【００１９】
図２は本実施形態に係る眼科装置のロック機構を示す図である。ロック機構２００は、固定基台１に対して移動台３を固定するためのものである。この場合、ロック機構２００には、固定基台１に対して移動台３が固定された状態と、固定基台１に対する移動台３の固定が解除された状態とを切り換える切換機構が設けられ、固定状態と固定解除状態とを任意に切換が可能である。
【００２０】
より具体的には、移動台３に上下方向に回転可能に軸支されたアーム２１６と、アーム２１６に保持され基台１に押さえ付けられる固定部材２１９と、固定部材２１９を基台１から離れた第１位置と基台１に押さえ付ける第２位置とに移動させるためにアーム２１６を回転させる操作部材２１１であって、アーム２１６の回転中心に対する距離に関して、固定部材２１９が配置された距離よりも長い距離に配置された操作部材２１１と、操作部材２１１の操作により固定部材２１９が第１位置、第２位置に移動させたときにアーム２１６の回転を制限する回転制限部材２２３、からなるロック機構２００が考えられる。この場合、検者によって操作部材２１１が持ち上げられると移動台３の固定が解除され、検者によって操作部材２１１が下げられると移動台３が固定されるような構成となっている。なお、上記構成においては、移動台３に対して過度の力を加えることで移動台３が移動してしまう可能性がありうるが、通常の使用形態（例えば、ジョイスティック４に対する通常の傾倒操作）において移動台３の移動が固定される程度であればよい。なお、この構成の詳細については、本出願人による特開２００５−２２４２５７号公報を参考にされたい。
【００２１】
また、前述のロック機構２００には、ロック機構２００による移動台３の固定を検知するロック検知部２５０が設けられ、その検知信号が制御部７０に出力される。
【００２２】
より具体的には、ロック検知部２５０として移動台３の底面部にマイクロスイッチが取り付けられており、操作部材２１１が下げられてアーム２１６が下方に回転移動されると、アーム２１６の下部によってマイクロスイッチが押し下げられ、マイクロスイッチから後述する制御部７０に検知信号が発せられるような構成となっている。これに基づいて、制御部７０は、固定基台１に対して移動台３がロックされた状態であると判定する。
【００２３】
一方、操作部材が上げられてアームが上方に回転移動されると、アームによるマイクロスイッチの押圧状態が解除され、マイクロスイッチから制御部７０への検知信号が出力されなくなる。これにより、制御部７０は、固定基台１に対する移動台３のロック状態が解除されていると判定する。すなわち、制御部７０は、移動台３がロックされた状態とロックが解除された状態との切り換わりを検知できる。
【００２４】
図３は顎受け１２を電動で上下動させる顎受け移動機構３０の構成を示す概略断面図である。支基２０には送りネジ２１が立設されており、これに螺合する雌ネジを持つ支柱２３が支基２０にガイドされて上下に移動可能に取り付けられている。支柱２３の上に顎受け１２が固定されている。送りネジ２１の下方にはギヤ２２が設けられており、このギヤ２２にパルスモータ２４側のギヤと噛み合っている。また、支柱２３には溝２５があり、この溝２５と回転止め用のビス２６により支柱２３が回転するのを防止している。モータ２４の回転により送りネジ２１が回転し、これによって支柱２３と共に顎受け１２が上下移動する。支柱２３の下方には遮光板２７が取り付けられており、支基２０側には遮光板２７を検知するフォトセンサ２８が設けられている。フォトセンサ２８は、遮光板２７を検知することにより、顎受け１２が下限に下がったことを検知する。また、フォトセンサ２８で検知される顎受け１２の下限位置を基準としてパルスモータ２４に付与するパルス数を計測することにより、顎受け１２の高さ位置の検出が可能である。したがって、顎受け１２を所定の高さ（初期位置）に調整することも可能である。
【００２５】
図４は、検眼部５内に設けられた光学系及び制御系の構成を説明する概略構成図である。
光路Ｏ１上には、対物レンズ１７、ビームスプリッタ１３、検眼光学系５ｂが配置されており、検眼光学系５ｂから発せられた光束は、ビームスプリッタ１３、対物レンズ１７を介して被検眼に入射する。そして、被検眼からの反射光は、対物レンズ１７、ビームスプリッタ１３を介して検眼光学系５ｂ内に入射し、所定の眼特性（例えば、眼屈折力や眼底画像や前眼部断面像など）を得る。なお、Ｌ１は対物レンズ１７の光軸であり、検眼光学系５ｂの光軸及び後述する第１撮影光学系６０の光軸を兼ねる。
【００２６】
また、眼Ｅの前眼部の前方には、眼Ｅの角膜Ｅｃにリング指標を投影するための近赤外光を発するリング指標投影光学系４０と、眼Ｅの角膜Ｅｃに無限遠指標を投影することにより被検眼に対する作動距離方向のアライメント状態を検出するための近赤外光を発する作動距離指標投影光学系４１が光軸Ｌ１に対して左右対称（図４では、便宜上、上下に配置）に配置されている。なお、リング投影光学系４０は、眼Ｅの前眼部を照明する前眼部照明としても用いられる。
【００２７】
また、被検眼の前眼部を撮影する前眼部撮影光学系は、被検眼前眼部を撮影する第１撮影光学系６０と、被検眼前眼部を含めた周辺領域を撮影する第２撮影光学系５０とを有する。ここで、第２撮影光学系５０は、レンズ５１、二次元受光素子５２を持ち、第１撮影光学系６０よりも低倍率にて前眼部を撮影する（図６参照）。ここで、近赤外光によって照明された前眼部からの反射光は、レンズ５１を介して二次元受光素子５２に受光される。そして、二次元受光素子５２の出力は、後述する制御部７０に送られる。
【００２８】
なお、本実施形態において、第２撮影光学系５０は、対物レンズ１７の真下に配置されており（図１参照）、左右両眼及び左右のアイレベルマーカ１４とを同時に撮影できるような撮影範囲を有する構成となっている（図６参照）。これにより、被検眼の高さの確認、左右眼の判別、及び左右眼の位置の特定を同時に行うことができる。
【００２９】
第１撮影光学系６０は、ビームスプリッタ１３の反射方向に配置され、リレーレンズ６１、全反射ミラー６２、絞り６３、撮像レンズ６４、二次元受光素子６５を持ち、二次元受光素子６５により被検眼が高倍率で撮像されると共に、指標投影光学系４０及び４１によって被検眼角膜に投影されたアライメント指標像が検出される（図７参照）。なお、上記の光学系において、近赤外光によって照明された前眼部からの反射光は、対物レンズ１７、ビームスプリッタ１３及びリレーレンズ６１〜撮像レンズ６４を介して二次元受光素子６５に受光される。そして、二次元受光素子６５の出力は、後述する制御部７０に送られる。なお、本実施形態においては、光軸Ｌ１とアイレベルマーカ１４の高さを合わせた際に、検眼部５が上下方向の移動可能範囲の中間にくるような構成となっている。
【００３０】
次に、制御系の構成について説明する。７０は装置全体の制御を行う制御部である。制御部７０は、表示モニタ８に接続されており、その表示画像を制御する。また、制御部７０は、第１撮影光学系６０または第２撮影光学系５０によって撮像されたアライメント指標像の像位置（もしくは被検眼の位置）に基づいて、被検眼と検眼部５との相対位置を検出する。また、制御部７０には、検眼光学系５ｂ、受光素子６５、受光素子５２、Ｙ駆動部６、ＸＺ駆動部７、モータ２４、フォトセンサ２８、ジョイスティック４、コントロール部９ａ、顎受けスイッチ９ｂ、メモリ７１、ロック検知部２５０、位置検知部３００（後述する）、マイクロスイッチ３０５、等が接続されている。
【００３１】
マイクロスイッチ３０５は、基台１に対する移動台３の前後方向の移動により移動台３が所定の位置に移動したことを検知する検知手段の役目を果たし、その検知信号は、モニタ８に表示する前眼部像を第１撮影光学系６０によって撮像された前眼部像と第２撮影光学系５０によって撮像された前眼部像とで切り換える切換信号として利用される。
【００３２】
なお、基台１には、図示無きガイド板が設けられており、移動台３が所定の前後位置に移動されると、マイクロスイッチ３０５が押し上げられ検知信号が出力されるようになっている。なお、上記のような検知機構としては、フォトセンサを用いても良いし、ポテンショメータ等によって随時検出される検出結果に基づいて位置検知を行うようにしてもよい。
【００３３】
なお、被検眼に対して検眼部５をアライメントするためのアライメントモードは、オートアライメントモードと手動アライメントモードとの間でアライメントモードの切換が可能であり、オートアライメントモード（以下、フルオートモードと省略する）に設定された場合、制御部７０は、移動台３を固定した状態で被検眼と検眼部５との相対位置を検出し、その検出結果に基づいてＹ駆動部６及びＸＺ駆動部７により検眼部５を移動させ被検眼の両眼に対して検眼部５を順次アライメントする。また、手動アライメントモード（以下、マニュアルモードと省略する）に設定された場合、移動台３の移動により検眼部５を被検眼に位置合わせする。すなわち、検者は、表示モニタ８に表示される前眼部像を元に被検眼の位置を特定し、ジョイスティック４の操作により被検眼に対する検眼部５のアライメントを行う。また、コントロール部９ａには、フルオートモードとマニュアルモードを手動により切換えるモード切換スイッチが設けられている。
【００３４】
なお、本実施形態では、フルオートモードは、ロック機構２００によって固定基台１上における所定の位置（例えば、左右中央位置、かつ、最後端位置）で移動台３が固定された状態で動作され、マニュアルモードは、ロック機構２００による移動台３の固定が解除された状態で動作される。また、前述のフルオートモードに設定された場合、制御部７０は、前述の第２撮像光学系５０により被検者の顔を広範囲に撮像し、その撮像信号に基づいて左右眼の位置を特定することにより被検眼の両眼に対する検眼部５の自動アライメントを行う。
【００３５】
また、マニュアルモードは、さらに、マニュアルモードとセミマニュアルモードとの間でモード切換が可能であり、マニュアルモード（第１マニュアルモード）に設定された場合、制御部７０は、ＸＺ駆動部７による検眼部５の移動を禁止する。この場合、ジョイスティック４の手動操作による移動台３の移動と検眼部５の上下動により検眼部５が被検眼に対して位置合わせされる。また、セミマニュアルモード（第２マニュアルモード）に設定された場合、制御部７０は、被検眼と検眼部５との相対位置を検出し、その検出結果に基づいて制御部７０によって制限された移動可能範囲内でＸＺ駆動部７により検眼部５を移動させる。この場合、ジョイスティック４の手動操作による移動台３の移動と検眼部５の上下動の移動に加えて、制限された範囲内でのＸＺ駆動部７による検眼部５の水平移動により検眼部５が被検眼に対して位置合わせされる。
【００３６】
なお、ＸＺ駆動部７による検眼部５の左右方向における移動可能範囲は、フルオートモードに必要な移動範囲に対応するために、ロック機構２００によって固定基台１に対して移動台３が所定の位置に固定された状態で、移動台３に対する検眼部５の左右方向への移動により被験者の両眼に対して順次アライメントできるように被験者の瞳孔間距離より広く確保されている。この場合、被検眼の瞳孔間距離に対応した左右方向への移動量に加えて、被検眼に対する検眼部５の自動アライメントの際に左右方向における移動限界位置に達することなくスムーズに検眼部５が移動されるように余分に移動可能範囲を確保することが好ましい。具体的には、瞳孔間距離の大きい被験者に対して自動アライメントがスムーズに行えるように、左右中央位置から左右それぞれに４５ｍｍ程度の移動可能範囲を確保し、左右全体として９０ｍｍ程度の移動可能範囲をフルオートモードの移動可能範囲として設定するようなことが考えられる。
【００３７】
また、ＸＺ駆動部７による検眼部５の前後方向における移動可能範囲は、フルオートモードに必要な移動範囲に対応するために、ロック機構２００によって固定基台１に対して移動台３が所定の位置に固定された状態で、被験者の位置にかかわらず検眼部５の前後方向のアライメントが可能であって、かつ、左右眼の間で測定眼を切り換えるときに被験者の鼻等に検眼部５が接触するのを回避するべく、アライメントに使用される移動領域に対してさらに後方への移動範囲が確保されている。具体的には、被検眼に対するＺ方向のアライメントが可能な位置への移動領域を含めて４０ｍｍ程度の前後移動可能範囲をフルオートモードの移動可能範囲として設定するようなことが考えられる。
【００３８】
すなわち、本実施形態の装置構成においては、検眼部５を被検眼に対して水平移動させる移動機構として用いられる摺動機構及びＸＺ駆動部７は、それぞれ単独の動作によって、被験者の瞳孔間距離に対応して順次アライメントできるようにＸ方向における移動可能範囲が確保され、被験者の両眼に対して順次作動距離方向のアライメント及び被験者の鼻の回避ができるようにＸＺ方向における移動可能範囲が確保されている。
【００３９】
以下に、移動台３がフルオートモードに対応する位置にあるか否かを検知する位置検知部３００について説明する。位置検知部３００は、フルオート制御用に設定された基台１上における所定の位置に移動台３があるか否かを検知するために用いられる。
【００４０】
図５は位置検知部３００の具体的構成について示す図であり、位置検知部３００として、基台１上に形成された遮光板３０１と、移動台３の底面部に設けられ投光部と受光部からなるフォトセンサ３０２とが用いられる。この場合、移動台３のＸ方向の移動可能範囲における中央位置近傍に移動台３が置かれ、かつ、移動台３のＺ方向の移動可能範囲における所定位置より後方（検者側）に移動台３が置かれたときに、遮光板３０１とフォトセンサ３０２がＸＺ方向における位置関係が一致し、前述の領域から移動台３が外れたときに、遮光板３０１とフォトセンサ３０２がＸＺ方向における位置関係がずれるようになっている。
【００４１】
ここで、遮光板３０１の上にフォトセンサ３０２が位置されると、投光部から発せられた光が遮光板３０１に吸収され、受光部に到達しなくなり、フォトセンサ３０２からの受光信号が出力されなくなるため、制御部７０は、これに基づいて移動台３がフルオート制御を行うために設定された所定位置に置かれていることを検知する。一方、フォトセンサ３０２が遮光板３０１から外れていると、投光部から発せられた光が基台１上で反射され、受光部に到達し、フォトセンサ３０２から受光信号が出力されるため、制御部７０は、移動台３が所定位置から外れていると検知する。なお、位置検知部３００としては、上記構成に限るものではなく、マイクロスイッチを用いたり、ポテンショメータ等によって随時検出される検出結果に基づいて位置検知を行うようにしてもよい。
【００４２】
なお、上記のようにフルオート制御に用いる移動台３の位置を設定する場合、ロック機構２００により移動台３が固定された状態で、ＸＺ駆動部７の駆動によって被検眼に対する検眼部５のＸＺ方向のアライメント合わせができること、ＸＺ駆動部７によって移動される検眼部５と被験者との接触の可能性、ＸＺ駆動部７によって移動される検眼部５と顔支持ユニット１０との接触の可能性、等を考慮して設定を行う必要がある。
【００４３】
したがって、フルオート制御に用いる移動台３の位置としては、固定された移動台３に対してＸＺ方向に移動する検眼部５が被検眼の両眼に対して順次位置合わせ可能とされる位置であって，検眼部５の前進限度位置において検眼部５が被検眼と接触しないとされる位置に設定されるようなことが考えられる。
【００４４】
より具体的には、Ｚ方向における移動台３の所定位置としては、ロック機構２００により移動台３が固定されたときに、ＸＺ駆動部７による検眼部５の移動可能範囲内で被検眼に対するＺ方向のアライメントが可能であって、ＸＺ駆動部７による検眼部５の移動可能範囲の最前方に移動されたときに検眼部５が被検眼と接触しない位置に設定することが考えられる。例えば、Ｚ方向における移動台３の移動可能範囲における中央位置から最後方までの領域内から設定される。なお、本実施形態では、Ｚ方向における移動台３の移動可能範囲における最後端位置を所定位置としている。
【００４５】
以上のような構成を備える装置の動作について説明する。ここで、制御部７０は、ロック検知部２５０からの検知信号に基づいてロック機構２００による移動台３の固定を検知すると、フルオートモードにおけるＸＺ駆動部７による検眼部５の移動を許可し、移動台３を固定した状態でＹ駆動部６及びＸＺ駆動部７により検眼部５を移動させ被検眼の両眼に対して検眼部５を順次アライメントし、両眼に対する測定を行う。
【００４６】
より具体的には、まず、装置の電源が投入されると、制御部７０は、ロック検知部２５０からの検知信号に基づいて固定基台１に対して移動台３が固定されているか否かを判定すると共に、位置検知部３００からの検知信号に基づいて、前述のように設定されたフルオートモードに対応する所定位置に移動台３が配置されているか否かを判定する。すなわち、制御部７０は、移動台３が固定基台１上における所定の位置で固定されているか否かを判定する。
【００４７】
また、制御部７０は、ロック検知部２５０及び位置検知部３００からの検知信号に基づいて、移動台３がロック状態にあるか否か、移動台３がフルオートモードに対応する位置に配置されているか否かを示すメッセージを表示する。
【００４８】
ここで、検者がフルオートモードが可能な状態にするには、移動台３がフルオートモードに対応する位置に配置された旨のメッセージが表示されるようにジョイスティック４を用いて移動台３を所定位置まで移動させ、ロック機構２００により移動台３を固定すればよい。
【００４９】
ここで、移動台３が基台１上における所定位置で固定されたことが検知されると、制御部７０は、フルオートモードでのアライメント動作を許可する許可信号を発すると共に、モニタ８の画面上に、フルオートモードが可能である旨のメッセージを表示（報知）する。すなわち、制御部７０は、移動台３が固定基台１上における所定の位置で固定されると、フルオートモードにおけるＸＺ駆動部７による検眼部５の移動を許可し、アライメントモードをフルオートモードに自動的に切り換える。この場合、移動台３の移動がロック機構２００によって固定された状態となると、検者がジョイスティック４に対する傾倒操作を行っても、移動台３は水平移動しない。
【００５０】
また、制御部７０は、固定基台１上における所定の位置で移動台３が固定されたことが検知されると、Ｙ駆動部６及びＸＺ駆動部７を駆動制御して所定の原点位置に検眼部５を移動させる。なお、所定の原点位置としては、検眼部５のＸ方向の原点位置は移動可能範囲のほぼ中央位置、Ｚ方向の原点位置は最も検者側の位置とする。
【００５１】
なお、上記において、制御部７０は、コントロール部９ａに設けられたモード切換スイッチが操作され、フルオートモードに切り換える旨の切換信号が入力されたときにモード切換を行い、移動台３が所定の位置で固定されたことがロック検知部２５０及び位置検知部３００によって検知されたときに、フルオートモードにおけるＸＺ駆動部７による検眼部５の移動を許可するようにしてもよい。
【００５２】
上記のようにフルオートモードに設定された状態において、検者は、まず、被験者の顔を顔支持ユニット１０に固定させる。そして、検者によって所定のスイッチ操作（測定開始スイッチ４ｂに対する押圧操作）がなされると、制御部７０は、その操作信号に基づいて、顔支持ユニット１０に固定された被検眼に対する自動アライメント動作を開始する。まず、二次元撮像素子５２によって得られた広範囲の前眼部像（低倍率像）に基づいて被検眼の両眼の位置を検出し、その位置情報に基づいて顎受けの高さ調整及び被検眼に対する上下左右方向のアライメント調整を行う。また、制御部７０は、撮像素子５２によるモニタ８上に広範囲の前眼部画像を表示する（図６参照）。
【００５３】
より具体的には、制御部７０は、二次元撮像素子５２から得られる撮像画像から濃淡情報を取り出すことにより瞳孔の黒い部分を抽出し、これに基づいて被検眼の両眼の位置を検出する。そして、被検眼の位置情報が検出されると、被検眼のアイレベルマーク１４とがほぼ同じ高さになるように、顎受け移動機構３０のモータ２４を駆動制御することにより顎受け１２を移動させる。なお、顎受けの自動高さ調整については、詳しくは、特開２００４−１７４１５５号公報、特開２００６−２８０６１２号公報、等を参考にされたい。この場合、検者によって操作される顎受けスイッチ９からの操作信号に基づく顎受け１２の高さ調整もありうる。
【００５４】
また、制御部７０は、被検眼の位置情報に基づいて両眼それぞれの検眼部５に対する偏位量を求め、その情報に基づいて検眼部５を最初の測定眼である右眼（予め設定しておく）にＸＹ移動させる。これにより、検眼部５の測定光軸Ｌ１を被検眼の右眼近傍に位置させる。これにより、被験者の右眼は、固視標を視認できるようになり、これを固視する。
【００５５】
ＸＹ方向におけるラフなアライメントができたら、アライメント検出を二次元撮像素子６５による指標検出に切換え、被検眼角膜に投影されたアライメント指標像の検出を行うことにより被検眼に対する検眼部５のアライメント状態を検出する。この時点では、測定部３のＺ方向は適正作動距離より離れた方向にずれているので、測定部３を被検眼に対して前進させながらアライメント指標像を検出する。また、制御部７０は、撮像素子６５による高倍率の前眼部画像をモニタ８上に表示する（図７参照）。
【００５６】
ここで、制御部７０は、撮像素子６５によって撮像された前眼部画像におけるリング投影光学系４０によるリング指標Ｒの中心位置を角膜頂点位置Ｍ０としてＸＹ方向における検眼部５のアライメント偏位量を求め、これに基づいてＹ駆動部６及びＸＺ駆動部７を駆動制御して検眼部５をＸＹ方向に移動させる。また、作動距離指標投影光学系４１による角膜Ｅｃ上の無限遠指標Ｍの間隔がほとんど変化しないのに対して、前述のリング指標Ｒの所定経線方向の像間隔が変化するという特性を利用して、被検眼に対する検眼部５の作動距離方向のアライメント偏位量を求め（この詳細は特開平６−４６９９９号公報参照）、制御部７０は、これに基づいてＸＺ駆動部７を駆動制御して検眼部５をＺ方向に移動させる。このようにして、被検眼に対する検眼部５の各方向におけるアライメント偏位量がそれぞれ所定の許容範囲内に達したら、被検眼に対する検眼部５のアライメント状態を適正と判定し、制御部７０は、検査開始のトリガ信号を発して検査光学系５ａの動作による被検眼の検査を実行する。
【００５７】
右眼の測定が終了すると、先に求めた左右眼の距離情報に基づき、測定光軸Ｌ１の近傍に左眼が位置するように検眼部５をＸＹ方向に移動する。その後、右眼のときと同様に、撮像素子６５からの撮像信号に基づいてＹ駆動部６及びＸＺ駆動部７を駆動制御することにより被検眼に対する精密なアライメントを完了させて測定を自動的に実行する。なお、被検眼の両眼を撮像し、その撮像結果に基づいて自動アライメントを行う制御については、詳しくは、特開平１０−２１６０８９号公報を参考にされたい。
【００５８】
以上のようにして、被検眼の両眼の検査結果が得られたら、制御部７０は、その測定結果をモニタ８に表示すると共に、Ｙ駆動部６及びＸＺ駆動部７を駆動制御して所定の原点位置に検眼部５を復帰させておく。
【００５９】
このようにすれば、ロック機構２００により移動台３が固定された状態で被検眼に対するフルオートアライメントを行うときに、ＸＺ駆動部７によって広範囲を移動する検眼部５と被験者（又は顔支持ユニット１０）との接触を回避しつつ、被検眼の両眼に対するアライメントを適正に行うことが可能となる。
【００６０】
次に、マニュアルモードにおける動作について説明する。ここで、制御部７０は、ロック検知部２５０からの検知信号に基づいてロック機構２００による移動台３の固定が解除されたことを検知すると、手動アライメントモードにおけるＸＺ駆動部７による検眼部５の移動を禁止する。
【００６１】
より具体的には、位置検知部３００及びロック検知部２５０からの検知信号に基づいて、移動台３が基台１上に固定されていない、もしくはフルオートモードに対応するＸＺ方向における所定位置から移動台３が外れていると判定された場合、マニュアルモードでのアライメントを許可する許可信号を発すると共に、モニタ８の画面上に、マニュアルモードが可能である旨のメッセージを表示（報知）する。また、制御部７０は、移動台３がロック状態にあるか否か、移動台３がフルオートモードに対応する位置に配置されているか否かを示すメッセージを表示する。ここで、ロック機構２００によるロック状態が解除されると、検者のジョイスティック４に対する傾倒操作によって固定基台１に対して移動台３が水平移動可能な状態となる。
【００６２】
また、制御部７０は、ロック機構２００による移動台３の固定が解除されたことを検知すると、Ｙ駆動部６及びＸＺ駆動部７を駆動制御して所定の原点位置に検眼部５を移動させる。なお、所定の原点位置としては、検眼部５のＸＹ方向の原点位置は移動可能範囲のほぼ中央位置が挙げられる。また、Ｚ方向の原点位置は、原点位置に復帰する際に検眼部５と被験者との接触を回避すること、第２マニュアルモードでのＸＺ駆動部７による検眼部５の後方への移動スペースを考慮して、移動可能範囲における最後端から所定距離前方の位置とすることが挙げられる。例えば、最後端から５ｍｍ前方の位置が考えられる。また、Ｚ方向の移動可能範囲のほぼ中央位置とする場合もあり得る。
【００６３】
また、検者は、コントロール部９ａに設けられた所定のモード選択スイッチにより第１マニュアルモードに設定するか第２マニュアルモードに設定するかを選択できる（パラメータ設定によりいずれかのモードに予め設定されているような構成としてもよい）。なお、上記第１マニュアルモードに設定された場合、制御部７０は、ＸＺ駆動部７の駆動を禁止して移動台３に対して検眼部５を固定する。また、上記第２マニュアルモードに設定された場合、制御部７０は、ＸＺ駆動部７の駆動範囲を制限し、原点位置を基準とした所定範囲内で限り検眼部５を移動させる。すなわち、ＸＺ駆動部７による検眼部５の移動可能範囲を制限し、原点位置を基準とした所定範囲を超える範囲での検眼部５の移動を禁止する。例えば、精密なアライメントをアライメント検出に基づくＹ駆動部６及びＸＺ駆動部７の駆動制御により行うために、Ｚ方向の原点位置から前後方向にそれぞれ５ｍｍ程度、Ｘ方向の原点位置から左右方向にそれぞれ５ｍｍ程度に移動可能とする。
【００６４】
上記のようにしてマニュアルモードに設定された場合、検者は、被検者に対して顎受け１２に顎を載せるように指示し、顎受け１２に被検者の顎を載せてもらう。ここで、移動台３が所定の前後位置に移動されたことがマイクロスイッチ３０５により検知されると、制御部７０は、二次元受光素子５２によって得られた撮影画像をモニタ８に表示させる。ここで、図４のように、表示モニタ８に広範囲画像が表示された場合、検者は、表示モニタ８に表示されるアイレベルマーカ１４と被検眼の高さがほぼ同じ高さになるように顎受け１２の高さを調整する。この場合、制御部７０は、検者によって操作される顎受けスイッチ９ｂからの操作信号に基づいてモータ２４を駆動させ顎受け１２を上下動させる。この場合、広範囲の前眼部画像に基づいて、アイレベルマーカ１４と被検眼の高さがほぼ同じ高さになるように顎受け１２の高さを自動的に調整するようにしてもよい。
【００６５】
一方、表示モニタ８に広範囲画像が表示されていない場合、必要に応じて、広範囲画像に切り換わるまで再度ジョイスティック４を後方に操作した後、上記のように顎受け１２を上下動させ、被検眼のアイレベルの調整を行うことができる。これにより、被検者の顔が顔支持ユニット１０によって確実に固定された状態となり、正確な測定や撮影等を行うことが可能となる。なお、上記のようにしてアイレベルの調整が完了したら、検者は、広範囲画像における被検眼とレチクルＬＴがほぼ一致するように、被検眼に対する検眼部５のＸＹ方向の位置をジョイスティック４及び回転ノブ４ａにより調整しておくと、その後アライメント作業が容易となる。
【００６６】
その後、検者は、被検眼と検眼部５との作動距離を合わせるために、ジョイスティック４を前方に操作して検眼部５を被検眼に接近させる。これにより、移動台３が前進されて、移動台３が所定の前後位置から外れたことが検知されると、制御部７０は、モニタ８に表示される撮影画像を第２撮影光学系５０の出力から第１撮影光学系６０の出力に切換える。これにより、表示される前眼部像が広範囲画像から拡大された前眼部像に切換えられる。
【００６７】
ここで、検者は、図示なき固視標を固視するよう被検者に指示し、ジョイスティック４を用いて被検眼に対するアライメント調整を行う。この場合、モニタ８にボケのない鮮明な被検眼像が現われたら、表示モニタ８に表示されたリング像ＲとレチクルマークＬＴが同心円になるように被検眼に対して検眼部５の位置を上下左右方向に微調整する。その後、図示無きインジゲータを参考にしながら（もしくはリング像Ｒが最も細くなるように）、検眼部５の作動距離方向の位置を微調整する。そして、アライメントが完了して、検者から測定開始スイッチ４ｂが押されると、検眼光学系５ｂによる測定が行われる（第１マニュアルモード）。また、第２マニュアルモードの場合、二次元受光素子６５によってアライメント指標像が検出されるようになると、制御部７０は、二次元受光素子６５によって受光されるアライメント指標像の位置から被検眼に対する検眼部５のアライメント状態を検出し、その検出結果に基づいてＹ駆動部６又はＸＺ駆動部７を駆動制御する。そして、アライメントが完了したら、制御部７０によるアライメント完了信号もしくは測定開始スイッチ４ｂからのトリガ信号に基づいて測定開始のトリガを発する。
【００６８】
なお、上記マニュアルモードにおいて、摺動機構によって移動される移動台３の前後方向の移動に基づいて第２撮像光学系５０及び第１撮像光学系６０によって得られる撮影画像を選択的にモニタ８に表示させる場合、移動台３が所定の前後位置に移動したことを検知する構成としてマイクロスイッチ３０５を用いるような構成としたが、前述の位置検知部３００からの検知信号を利用するようにしてもよい。なお、上記構成においては、Ｚ方向における最後端位置を所定の前後位置として設定したが、第１撮影光学系６０を用いて被検眼と検眼部５との位置合わせを行うのに必要な移動台３の前後方向の範囲を外れた移動台３の位置であれば、これに限るものではない。より具体的には、摺動機構により固定基台１に対して移動台３が約４０ｍｍ程度前後に移動可能な場合、第１撮影光学系６０を用いて位置合わせを行うのに必要な移動台３の前後方向の範囲を被検眼に最も近い最先端位置から３０ｍｍまでの範囲とすれば、この範囲より後方を所定の位置として設定するようなことが考えられる。
【００６９】
なお、以上の説明においては、フルオートモードにおいて、被検眼に対するアライメント動作を開始する場合、測定開始スイッチ４ａからの操作信号をトリガとしたが、被験者の顔が顔支持ユニット１０に固定されているか否かを検知する被験者センサを設け、移動台３がフルオートモードに対応する所定の位置で固定されていることが検知された状態で、被験者の顔の固定が検知された場合、被検眼に対するアライメント動作を開始するようなことが考えられる。なお、被験者センサしては、顎受け１２の上部にタッチセンサを設けたり、顔支持ユニット１０に測距センサ（特開２００５−２１１３５１号公報参照）を設けるような構成が考えられる。
【００７０】
また、以上の説明においては、移動台３がフルオートモードに対応する位置にあるかをモニタ８に表示により確認するものとしたが、これに限るものではない。例えば、基台１又は移動台３にマーキングを施して、検者がマーキングを見ながら移動台３がフルオートモードに対応する位置にあるかを確認できるようにしてもよい。また、移動台３がフルオートモードに対応する位置に置かれたときに、クリック感を得られるような構成としてもよい。
【００７１】
また、以上の説明においては、フルオートモードに対応する移動台３の位置について、ある程度幅を持たせるような構成としたが、移動台３を基台１の左右ほぼ中央に位置させた後、手前側（検者側）に引くことによりストッパ機構が作動して移動台３がロックされるような構成（特開平８−２８０６２７参照）を用い、ストッパ機構によりロックされた移動台３の位置をフルオートモードに対応する位置に設定するような構成としてもよい。
【００７２】
なお、上記フルオートモードに関して、制御部７０は、移動台３が所定位置に配置されたことが位置検知部３００により検知され、かつ、フルオートモードに設定された場合、所定のトリガ信号に基づいて、Ｙ駆動部６及びＸＺ駆動部７の駆動を開始し、被検者の左右眼に対して検眼部５を順次アライメントするようにしてもよい。また、制御部７０は、フルオートモードにおけるＸＺ駆動部７の駆動中において、移動台３が所定位置から外れたことが位置検知部３００により検知された場合、ＸＺ駆動部７の駆動を停止するようにしてもよい。
【００７３】
なお、上記フルオートモードに関して、制御部７０は、移動台３が所定位置に配置されたことが位置検知部３００により検知され、かつ、フルオートモードに設定された場合、所定のトリガ信号に基づいて、Ｙ駆動部６及びＸＺ駆動部７の駆動を開始し、被検者の左右眼に対して検眼部５を順次アライメントするようにしてもよい。また、制御部７０は、フルオートモードにおけるＸＺ駆動部７の駆動中において、移動台３が所定位置から外れたことが位置検知部３００により検知された場合、ＸＺ駆動部７の駆動を停止するようにしてもよい。
【００７４】
また、上記フルオートモードにおいて、移動台３の移動によって被検眼の片眼に対する検眼部５のラフなアライメントが完了された状態における移動台３の位置を所定位置として設定するようにしてもよい。この場合、制御部７０は、一方の眼に対するラフなアライメントが検者によって行われた後、上記アライメント検出結果に基づいてＹ駆動部６及びＸＺ駆動部７の駆動を開始し、一方の眼に対する精密なアライメントを行う。その後、制御部７０は、Ｙ駆動部６及びＸＺ駆動部７の駆動を制御し、他方の眼に対するラフなアライメント及び精密なアライメントを行う。なお、他方の眼に対するラフなアライメントを行う場合、例えば、制御部７０は、ＸＺ駆動部７の駆動を制御し、二次元受光素子６５によってアライメント指標像が検出されるまで検眼部５を他眼方向に移動させる。また、基台１の左右中心位置に対する移動台３（又は検眼部５）の移動量を検出する検出機構を設け、片眼に対するアライメントが完了されたときに検出機構によって検出された移動量の約２倍分、検眼部５を他眼方向に移動させるようにしてもよい。
【図面の簡単な説明】
【００７５】
【図１】本実施形態に係る眼科装置の外観概略図を示している。
【図２】本実施形態に係る眼科装置のロック機構を示す図である。
【図３】本実施形態に係る顎受け移動機構の構成を示す概略断面図である。
【図４】本実施形態に係る検眼部内に設けられた光学系及び制御系の構成を説明する概略構成図である。
【図５】本実施形態に係る位置検知部の具体的構成について示す図である。
【図６】表示モニタに広範囲の前眼部画像が表示されたときの例である。
【図７】表示モニタに高倍率の前眼部画像が表示されたときの例である。
【符号の説明】
【００７６】
１  固定基台
３  移動台
５  検眼部
６  Ｙ駆動部
７  ＸＺ駆動部
８  表示モニタ
９ａ  コントロール部
５０  第２撮影光学系
６０  第１撮影光学系
７０  制御部
２００  ロック機構
２５０  ロック検知部
３００  位置検知部
【図１】
0005410768.tif 000002
【図２】
0005410768.tif 000003
【図３】
0005410768.tif 000004
【図４】
0005410768.tif 000005
【図５】
0005410768.tif 000006
【図６】
0005410768.tif 000007
【図７】
0005410768.tif 000008